(57)【要約】【課題】リッチアプリケーションベースのマルチスクリーンＩＰＴＶサービス提供システム、端末、サーバ及び方法を提供する。【解決手段】本発明は、リッチアプリケーションベースのマルチスクリーンＩＰＴＶサービス提供システム、端末、サーバ及び方法に関し、前記システムは、二つ以上の端末にＩＰＴＶサービスを提供するＩＰＴＶシステム、及び前記マルチスクリーン管理モジュールと連動して前記ＩＰＴＶシステムが提供するＩＰＴＶサービスのマルチスクリーンサービスを支援するマルチスクリーン管理サーバを含んで構成される。【選択図】図２
2011250411.tif 000002
【特許請求の範囲】
【請求項１】
二つ以上の端末にＩＰＴＶサービスを提供するＩＰＴＶシステム、及び
前記端末に備えられるマルチスクリーン管理モジュールと連動して前記ＩＰＴＶシステムが提供するＩＰＴＶサービスのマルチスクリーンサービスを支援するマルチスクリーン管理サーバを含むことを特徴とするリッチアプリケーションベースのマルチスクリーンＩＰＴＶサービス提供システム。
【請求項２】
前記ＩＰＴＶシステムは、
前記ＩＰＴＶサービスのためのコンテンツを製作するコンテンツ生成モジュール、
コンテンツ及びサービスを伝送するサービス伝達モジュール、
ウェブページ及びテキスト処理機能を行うウェブサーバ、及び
前記端末にメディアストリーミングサービスを支援するメディアサーバを含むことを特徴とする請求項１に記載のリッチアプリケーションベースのマルチスクリーンＩＰＴＶサービス提供システム。
【請求項３】
前記マルチスクリーン管理サーバは、
端末環境情報を管理する端末情報管理モジュール、
メディアコンテンツフォーマットを移動する端末の端末環境情報に応じて変換するメディア変換管理モジュール、及び
メディアコンテンツサービスが中止又は再要請される場合にコンテンツの現在状態及び処理情報を管理するコンテンツ制御モジュールを含むことを特徴とする請求項１に記載のリッチアプリケーションベースのマルチスクリーンＩＰＴＶサービス提供システム。
【請求項４】
リッチウェブアプリケーション及びミドルウェアを含んで構成されリッチアプリケーションベースのマルチスクリーンＩＰＴＶサービスを提供される端末であり、
前記ミドルウェアは、
提供されていたＩＰＴＶサービスの停止及び他の端末へのサービス連結のためのコンテンツ及びサービスの制御機能を行ってマルチスクリーンサービスを支援するマルチスクリーン管理モジュールを含むことを特徴とする端末。
【請求項５】
前記ミドルウェアは、
メディアストリーミングサービスのための機能及び前記端末の保存装置に対する管理機能を有するメディア管理モジュール、
前記リッチウェブアプリケーションを介する使用者との相互作用を支援し、プログラムイベント処理機能を提供する使用者反応管理モジュール、
セキュリティメカニズムを支援するセキュリティ管理モジュール、
メタデータシステムへのアクセス及び管理機能を提供するメタデータ管理モジュール、
通信機能を支援する通信管理モジュール、及び
前記端末の初期化及びリソース管理機能を提供するシステム管理モジュールをさらに含むことを特徴とする請求項４に記載の端末。
【請求項６】
ＩＰＴＶサービスを提供される端末に備えられたマルチスクリーン管理モジュールと連動して前記ＩＰＴＶサービスのマルチスクリーンサービスを支援するマルチスクリーン管理サーバであり、
端末環境情報を管理する端末情報管理モジュール、
メディアコンテンツフォーマットを移動する端末の端末環境情報に応じて変換するメディア変換管理モジュール、及び
メディアコンテンツサービスが中止又は再要請される場合にコンテンツの現在状態及び処理情報を管理するコンテンツ制御モジュールを含むことを特徴とするマルチスクリーン管理サーバ。
【請求項７】
ＩＰＴＶサービスを提供するサーバ側に備えられたマルチスクリーン管理サーバを介してリッチアプリケーションベースのマルチスクリーンＩＰＴＶサービスを提供する方法であり、
リッチアプリケーションベースのＩＰＴＶサービスを提供されていた端末からサービス中止信号を受信するステップ、
前記ＩＰＴＶサービスを移動する他の端末から進行中のサービス要請を受信するステップ、
前記他の端末の端末環境情報に合せてメディア変換処理を行うステップ、
前記端末及び他の端末に対するコンテンツ制御情報をＩＰＴＶシステムに伝送するステップ、及び
前記変換処理されたメディアを前記他の端末に伝送するステップを含むことを特徴とするリッチアプリケーションベースのマルチスクリーンＩＰＴＶサービス提供方法。
【発明の詳細な説明】
【技術分野】
【０００１】
本発明はリッチアプリケーションベースのマルチスクリーンＩＰＴＶサービス提供システム、端末、サーバ及び方法に関し、より詳細には既存のＩＰＴＶサービス環境でリッチアプリケーションベースでマルチスクリーンサービスを提供するために追加的に求められる端末ミドルウェアのマルチスクリーン管理モジュール、サーバ側のマルチスクリーン管理サーバ、そして端末とサーバが連係してマルチスクリーンＩＰＴＶサービスを提供するための方法に関する。
【背景技術】
【０００２】
従来には単一の端末とサーバの間にＩＰＴＶサービスを提供するための基本的な機能を有するシステムが存在していた。しかし、リッチアプリケーションベースの様々な端末をベースにマルチスクリーンサービスを提供するために求められる端末とサーバ側の追加的な構造に対しては提示されていない。
【先行技術文献】
【特許文献】
【０００３】
【特許文献１】韓国登録特許 第2009-0085530号
【発明の概要】
【発明が解決しようする課題】
【０００４】
したがって、本発明は前記のような従来の技術の問題点を解決するためのもので、既存のＩＰＴＶサービス環境でリッチアプリケーションベースでマルチスクリーンサービスを提供するためにミドルウェアにマルチスクリーン管理モジュールが追加的に備えられた端末、サーバ側のマルチスクリーン管理サーバ、そして端末とサーバが連係してマルチスクリーンＩＰＴＶサービスを提供する方法を提供するためのものである。
【課題を解決するための手段】
【０００５】
上記目的を達成するための本発明の一側面によるリッチアプリケーションベースのマルチスクリーンＩＰＴＶサービス提供システムは、二つ以上の端末にＩＰＴＶサービスを提供するＩＰＴＶシステム、及び前記マルチスクリーン管理モジュールと連動して前記ＩＰＴＶシステムが提供するＩＰＴＶサービスのマルチスクリーンサービスを支援するマルチスクリーン管理サーバを含む。
【０００６】
上記目的を達成するための本発明の他の側面による端末は、リッチウェブアプリケーション及びミドルウェアを含んで構成されリッチアプリケーションベースのマルチスクリーンＩＰＴＶサービスを提供される端末であり、前記ミドルウェアは、提供されていたＩＰＴＶサービスの停止及び他の端末へのサービス連結のためのコンテンツ及びサービスの制御機能を行ってマルチスクリーンサービスを支援するマルチスクリーン管理モジュールを含む。
【０００７】
上記目的を達成するための本発明のさらに他の側面によるサーバは、ＩＰＴＶサービスを提供される端末に備えられたマルチスクリーン管理モジュールと連動して前記ＩＰＴＶサービスのマルチスクリーンサービスを支援するマルチスクリーン管理サーバであり、端末環境情報を管理する端末情報管理モジュール、メディアコンテンツフォーマットを移動する端末の端末環境情報に応じて変換するメディア変換管理モジュール、及びメディアコンテンツサービスが中止又は再要請される場合にコンテンツの現在状態及び処理情報を管理するコンテンツ制御モジュールを含む。
【０００８】
上記目的を達成するための本発明のさらに他の側面によるリッチアプリケーションベースのマルチスクリーンＩＰＴＶサービス提供方法は、ＩＰＴＶサービスを提供するサーバ側に備えられたマルチスクリーン管理サーバを介してリッチアプリケーションベースのマルチスクリーンＩＰＴＶサービスを提供する方法であり、リッチアプリケーションベースのＩＰＴＶサービスを提供されていた端末からサービス中止信号を受信するステップ、前記ＩＰＴＶサービスを移動する他の端末から進行中のサービス要請を受信するステップ、前記他の端末の端末環境情報に合せてメディア変換処理を行うステップ、前記端末及び他の端末に対するコンテンツ制御情報をＩＰＴＶシステムに伝送するステップ、及び前記変換処理されたメディアを前記他の端末に伝送するステップを含む。
【発明の効果】
【０００９】
本発明によれば、一人の使用者が複数の端末を介してＩＰＴＶサービスを提供されることができる。特に、使用者が一つの端末に提供されていたＩＰＴＶサービスを中止して他の端末に移動して続けてサービスの提供を受けようとする場合、変更された端末環境に合せてサービスを連続的に提供されることができる。すなわち、ＩＰＴＶサービスの端末間移動性及びコンテンツの連続性が保障され得る。
【００１０】
また、本発明によれば、端末のリソースを活用したリッチアプリケーションベースのサービスのみならず外部オープンＡＰＩを活用する新しいＩＰＴＶサービスを提供することができる。
【図面の簡単な説明】
【００１１】
【図１】本発明の一側面によるリッチアプリケーションベースのマルチスクリーンＩＰＴＶサービス提供システムの基本構成図である。
【図２】本発明の一側面によるリッチアプリケーションベースのマルチスクリーンＩＰＴＶサービス提供システムの詳細構成図である。
【図３】本発明の他の側面によるリッチアプリケーションベースのマルチスクリーンＩＰＴＶサービス提供方法のフローチャートである。
【発明を実施するため形態】
【００１２】
以下、添付図面を参照して本発明が属する技術分野における通常の知識を有する者が本発明を容易に実施できるように好ましい実施例を詳しく説明する。ただし、本発明の好ましい実施例を詳しく説明するにあたり、関連の公知機能又は構成についての具体的な説明が本発明の要旨をかえって不明確にする可能性があると判断される場合にはその詳細な説明を省略する。また、類似の機能及び作用を行う部分に対しては図面全体にわたって同じ番号を付す。
【００１３】
さらに、明細書全体において、ある部分が他の部分と「連結」されているとする時、これは「直接的に連結」されている場合のみならず、その中間に他の素子を介して「間接的に連結」されている場合も含む。また、ある構成要素を「含む」とする時、特に相反する記載がない限り、他の構成要素を除くのではなく他の構成要素をさらに含むことができることを意味する。
【００１４】
既存のＩＰＴＶサービス環境でリッチアプリケーションベースでマルチスクリーンサービスを提供するためには端末の追加的なミドルウェア機能及びサービス構造が必要となる。
【００１５】
ここで、リッチアプリケーションとは、ＩＰＴＶサービス環境で動作する一般的なデスクトップベースのアプリケーションのことで、リッチアプリケーションは頻繁なユーザインターアクション及び派手なユーザインターフェースなどの特徴を持つ。また、リッチアプリケーションは既存のアプリケーションに比べて端末のリソースへの直接アクセス及び外部オープンＡＰＩベースのマッシュアップサービスと連係して新しいサービスを提供するなどの拡張性をもち、ソーシャルネットワークなどのサービスとも連係して様々な端末環境に合せて融合サービスを提供する。一例として、ウィジェットアプリケーションを挙げることができる。
【００１６】
一方、マルチスクリーンサービスとは、様々な端末間でサービスの連続性を失わずに変更された端末の環境に合せて最適化された状況でサービスを支援するサービスのことである。このようなマルチスクリーンサービスを支援するためには既存のＩＰＴＶサービス構造で端末及びサーバ側システムに追加的な機能が求められる。
【００１７】
図１は、本発明の一側面によるリッチアプリケーションベースのマルチスクリーンＩＰＴＶサービス提供システムの基本構成図である。
【００１８】
図１に示すように、本発明の一側面によるリッチアプリケーションベースのマルチスクリーンＩＰＴＶサービス提供システムは、二つ以上の端末１００、２００、ネットワーク３００、ＩＰＴＶシステム４００及びマルチスクリーン管理サーバ５００を含んで構成される。
【００１９】
端末Ａ及びＢ１００、２００はネットワークに連結されてＩＰＴＶサービスを提供されることができる端末であり、セットトップ方式、ＰＣ型スタイル及びモバイル環境など様々な形態で実施され得る。
【００２０】
端末Ａ及びＢ１００、２００はそれぞれリッチウェブアプリケーション１１０、２１０及びミドルウェア１２０、２２０を含んで構成される。この時、ミドルウェア１２０、２２０は基本的な端末ミドルウェア機能を活用し、基本的な機能以外にマルチスクリーンサービスを支援するためのモジュールが求められるが、これはプラグインなどで支援することができる。
【００２１】
ネットワーク３００はＩＰベースのネットワークプロトコルを基本的に提供するが、ケーブルやモバイルネットワークなどで実施されることもできる。
【００２２】
ＩＰＴＶシステム４００は既存のＩＰＴＶサービスシステムを意味するもので、コンテンツ生成機能、サービス伝達機能、ウェブサーバ及びメディアサーバなどを含んで構成される。
【００２３】
マルチスクリーン管理サーバ５００はマルチスクリーンサービスを支援するためにサーバ側に求められるサーバであり、端末のミドルウェアに追加的に備えられるマルチスクリーン管理機能と連係して動作し、端末情報管理、メディア変換管理及びコンテンツ制御などの機能を含む。
【００２４】
図２は、本発明の一側面によるリッチアプリケーションベースのマルチスクリーンＩＰＴＶサービス提供システムの詳細構成図である。
【００２５】
端末１００のリッチウェブアプリケーション１１０は、例えば、センサ又は各種周辺機器などの端末リソースにアクセスしながら使用者と端末の間の動的インターアクション処理を支援するリッチアプリケーションの性格を持つ。リッチウェブアプリケーション１１０が遂行されるためには端末ミドルウェアが求められるが、端末ミドルウェアの一般的な機能とともにマルチスクリーンサービスを支援するためのマルチスクリーン管理モジュールを活用する。
【００２６】
端末１００のミドルウェア１２０は端末の一般的なミドルウェア機能に加えてマルチスクリーン管理モジュール１２７を追加的に含む。この時、端末の一般的なミドルウェア機能はメディア管理モジュール１２１、使用者反応管理モジュール１２２、セキュリティ管理モジュール１２３、メタデータ管理モジュール１２４、通信管理モジュール１２５及びシステム管理モジュール１２６を含む。
【００２７】
メディア管理モジュール１２１はメディアストリーミングサービスのための機能を提供し端末の保存装置に対する管理機能を持つ。これによってＩＰＴＶメディアサービスが可能になる。
【００２８】
使用者反応管理モジュール１２２はリッチウェブアプリケーション１１０を介した使用者との相互作用を支援し、プログラムイベント処理機能を提供する。
【００２９】
セキュリティ管理モジュール１２３は使用者認証、メディアに対する権限の附与、ネットワークセキュリティなどを含むセキュリティメカニズムを支援する。
【００３０】
メタデータ管理モジュール１２４はリッチウェブアプリケーション１１０がメタデータシステム（図示せず）と動作を行う時に活用されるもので、メタデータシステムへのアクセス及び管理機能を提供する。
【００３１】
通信管理モジュール１２５は端末１００の通信機能を支援する。
【００３２】
システム管理モジュール１２６は端末１００の初期化及びリソース管理機能を提供する。
【００３３】
マルチスクリーン管理モジュール１２７は端末１００内のマルチスクリーンサービスを支援するためのもので、マルチスクリーンサービスを支援するためにサーバ側のマルチスクリーン管理サーバ５００と連動しながら動作する。端末１００で提供されていたＩＰＴＶサービスの一時停止又は他の端末へのサービス連結などのためにコンテンツ及びサービスの制御及び管理機能を行い、サーバ側との通信機能とリッチウェブアプリケーション１１０とのインターフェースの連係が求められる。
【００３４】
ネットワーク３００はＩＰベースのネットワークプロトコルを基本的に提供するが、ケーブルやモバイルネットワークなどで実施されることもできる。ＩＰＴＶサービスのための様々なアクセスネットワーク状況でネットワーク移動性のための機能が求められる。
【００３５】
ＩＰＴＶシステム４００は既存の一般的なＩＰＴＶシステムで、コンテンツ生成モジュール４１０、サービス伝達モジュール４２０、ウェブサーバ４３０及びメディアサーバ４４０を含んで構成されることができる。
【００３６】
コンテンツ生成モジュール４１０はＩＰＴＶサービスのためのコンテンツを製作する機能を行い、オーディオ及びビデオコンテンツなど様々なコンテンツを製作できる。
【００３７】
サービス伝達モジュール４２０はコンテンツ及びサービスを伝送する機能を行い、例えば、既存のＩＰＴＶヘッドエンドシステム機能と言える。
【００３８】
ウェブサーバ４３０はウェブページ及びテキスト処理などの機能を行う。
【００３９】
メディアサーバ４４０は端末１００にメディアストリーミングサービスを支援する機能を行う。
【００４０】
マルチスクリーン管理サーバ５００は既存のＩＰＴＶシステムにマルチスクリーンサービスを支援するためのもので、端末情報管理モジュール５１０、メディア変換管理モジュール５２０及びコンテンツ制御モジュール５３０を含んで構成される。
【００４１】
端末情報管理モジュール５１０は端末１００の端末環境情報を管理する機能を行う。ここで、端末環境情報は端末の種類、端末に搭載されたソフトウェアのバージョン、使用者のプロファイル情報などを含むことができる。
【００４２】
メディア変換管理モジュール５２０は様々な種類の端末に合わせてメディアフォーマットを最適化するためのもので、メディアコンテンツフォーマットを移動する端末の環境情報に応じて変換する機能を行う。
【００４３】
コンテンツ制御モジュール５３０はメディアコンテンツサービスが中止又は再要請される場合にコンテンツの現在状態及び各種処理情報を管理する機能を行う。
【００４４】
図３は、本発明の他の側面によるリッチアプリケーションベースのマルチスクリーンＩＰＴＶサービス提供方法のフローチャートである。
【００４５】
マルチスクリーンサービスを支援するためには上述のように端末にマルチスクリーン管理モジュールが搭載されている必要があり、この機種端末を活用してサービス支援が可能になる。
【００４６】
端末Ａ１００とＩＰＴＶシステム４００の間にリッチアプリケーションベースのＩＰＴＶサービスが開始されて進行中である（Ｓ１０）。
【００４７】
この時、端末Ａ１００は進行中のサービスを中止し、マルチスクリーン管理サーバ５００にサービス中止信号を伝送する（Ｓ２０）。
【００４８】
また、端末を移動して、端末Ｂ２００でマルチスクリーン管理サーバ５００に進行していたサービスを要請する（Ｓ３０）。
【００４９】
この場合、マルチスクリーン管理サーバ５００は端末Ａ１００及び端末Ｂ２００からそれぞれ信号を受信した後、端末環境情報を保存し端末Ｂ２００の端末環境情報に合せてメディア変換処理を行う（Ｓ４０）。
【００５０】
その後、マルチスクリーン管理サーバ５００は端末Ａ１００及び端末Ｂ２００に対するコンテンツ制御情報をＩＰＴＶシステム４００に伝送し（Ｓ５０）、また端末環境情報に合せて変換されたメディアを端末Ｂ２００に伝送する（Ｓ６０）。
【００５１】
本発明は、上述した実施例及び添付された図面によって限定されるものではない。本発明の属する技術分野における通常の知識を有する者にとって、本発明の技術的思想を逸脱しない範囲内で本発明による構成要素を置換、変形及び変更できることは明白である。
【符号の説明】
【００５２】
１００、２００    端末
１１０、２１０    リッチウェブアプリケーション
１２０、２２０    ミドルウェア
１２１            メディア管理モジュール
１２２            使用者反応管理モジュール
１２３            セキュリティ管理モジュール
１２４            メタデータ管理モジュール
１２５            通信管理モジュール
１２６            システム管理モジュール
１２７            マルチスクリーン管理モジュール
３００            ネットワーク
４００            ＩＰＴＶシステム
４１０            コンテンツ生成モジュール
４２０            サービス伝達モジュール
４３０            ウェブサーバ
４４０            メディアサーバ
５００            マルチスクリーン管理サーバ
５１０            端末情報管理モジュール
５２０            メディア変換管理モジュール
５３０            コンテンツ制御モジュール
【図１】
2011250411.tif 000003
【図２】
2011250411.tif 000004
【図３】
2011250411.tif 000005